(57)【要約】【課題】フレームメモリを新たに追加するといったハードウェアの変更によることなくプログレッシブ−インターレース変換を実現できるようにする。【解決手段】映像再生装置１は、入力される映像ストリームに含まれる圧縮ビデオデータを伸張してフレームを生成し、そのフレームの表示を制御する表示制御情報にしたがって生成したフレーム３１，３２，３３，３４・・・を出力するビデオデコーダ２０と、ビデオデコーダ２０から出力されるフレーム３１，３２，３３，３４・・・がプログレッシブ方式で出力されることを示すプログレッシブデータからインターレース方式で出力されることを示すインターレースデータへの表示制御情報の書換えを行うデマルチプレクサ１０とを有している。【選択図】図１
2008011071.tif 000002
【特許請求の範囲】
【請求項１】
入力される映像ストリームに含まれる圧縮ビデオデータを伸張してフレームを生成し、該フレームの表示を制御する表示制御情報にしたがって前記生成したフレームを出力するビデオデコーダと、
該ビデオデコーダから出力される前記フレームがインターレース方式で出力されるように、前記表示制御情報の書換えを行う書換手段とを有することを特徴とする映像再生装置。
【請求項２】
入力される映像ストリームに含まれる圧縮ビデオデータを伸張してフレームを生成し、該フレームの表示を制御する表示制御情報にしたがって前記生成したフレームを出力するビデオデコーダと、
前記ビデオデコーダから出力される前記フレームがプログレッシブ方式で出力されることを示すプログレッシブデータからインターレース方式で出力されることを示すインターレースデータへの前記表示制御情報の書換えを行う書換手段とを有することを特徴とする映像再生装置。
【請求項３】
前記ビデオデコーダから出力される前記フレームが前記プログレッシブ方式または前記インターレース方式のいずれかで出力されるように制御するためのフィールド信号を前記ビデオデコーダに入力するフィールド信号入力手段を更に有することを特徴とする請求項１または２記載の映像再生装置。
【請求項４】
プログレッシブ出力またはインターレース出力のいずれかを示す指示情報を前記書換手段に入力する指示情報入力手段を更に有し、
前記書換手段は、前記指示情報が前記インターレース出力を示すときに前記表示制御情報の書換えを行い、前記指示情報が前記プログレッシブ出力を示すときは前記表示制御情報の書換えを行わないように構成されていることを特徴とする請求項１〜３のいずれか一項記載の映像再生装置。
【請求項５】
プログレッシブ出力またはインターレース出力のいずれかを示す指示情報を前記書換手段に入力する指示情報入力手段を更に有し、
前記フィールド信号入力手段は、前記指示情報が前記インターレース出力を示すときは前記フレームが前記インターレース方式で出力されるようにして前記フィールド信号を入力し、前記指示情報が前記プログレッシブ出力を示すときは前記フレームが前記プログレッシブ方式で出力されるようにして前記フィールド信号を入力するように構成されていることを特徴とする請求項３記載の映像再生装置。
【請求項６】
前記ビデオデコーダにより生成された前記フレームが書き込まれるフレームバッファを更に有し、
前記ビデオデコーダは前記フレームバッファに書き込まれている前記フレームを前記表示制御情報にしたがい読み出して出力することを特徴とする請求項１〜５のいずれか一項記載の映像再生装置。
【請求項７】
入力されるプログラムストリームから前記映像ストリームを分離するデマルチプレクサによって前記書換手段が構成されていることを特徴とする請求項１〜６のいずれか一項記載の映像再生装置。
【請求項８】
前記書換手段が前記表示制御情報の書換えとともに、フレームレートの書換えを行うことを特徴とする請求項１〜７のいずれか一項記載の映像再生装置。
【発明の詳細な説明】
【技術分野】
【０００１】
本発明は、プログレッシブ−インターレース変換を行なえる映像再生装置に関する。
【背景技術】
【０００２】
従来から、記録媒体に記録されているデジタルデータを読み取って映像および音声を再生することが可能な映像再生装置が知られている。この種の映像再生装置としては、記録媒体として光ディスクを用いるディスク再生装置がある。中でも、近年、ＤＶＤ（ｄｉｇｉｔａｌ  ｖｅｒｓａｔｉｌｅ  ｄｉｓｋ）規格による光ディスクを用いるＤＶＤプレーヤが広く普及している。
【０００３】
ＤＶＤプレーヤのうち、従来のＤＶＤ規格によるＤＶＤプレーヤは、映像を表示する表示装置に映像信号を出力するが、出力される映像信号はインターレース方式（飛び越し走査方式、フレームレート：２９．９７Ｈｚ、２５．０Ｈｚ）に限られていた。ＤＶＤプレーヤには、映像を表示する表示装置としてインターレース方式の表示装置（ＣＲＴ）のほか、プログレッシブ方式（順次走査方式、フレームレート：５９．９４Ｈｚ、５０．０Ｈｚ）の表示装置（液晶表示装置やプラズマ表示装置のような薄型のテレビジョン受像機）が接続されることがあるため、プログレッシブ方式の表示装置が接続される場合に対応して、映像信号をインターレース方式からプログレッシブ方式に変換する装置が搭載されている。
【０００４】
ここで、インターレース方式からプログレッシブ方式に変換する装置に関して、従来例えば、次のような信号変換装置があった。この信号変換装置では、制御情報に対応して、走査線Ｎ本のインターレースの同期信号を走査線Ｎ／２本のプログレッシブの同期信号に変換するようになっている。
【特許文献１】特開平１０−２８５５５９公報
【発明の開示】
【発明が解決しようとする課題】
【０００５】
ところで、従来のＤＶＤプレーヤは、例えば、ＨＤ  ＤＶＤ（Ｈｉｇｈ  Ｄｅｆｉｎｉｔｉｏｎ  ＤＶＤ）規格によるＤＶＤプレーヤ（以下「ＨＤ  ＤＶＤプレーヤ」という）のように、映像信号をインターレース方式のほかにプログレッシブ方式（フレームレート５９．９４Ｈｚと５０Ｈｚ）で出力することが許されていることがある。
【０００６】
しかし、このようなＤＶＤプレーヤも、入力される映像ストリームに含まれる表示制御情報に従ってデコードされたフレームの表示を行うため、表示制御情報にプログレッシブ方式での出力要求が記述されていれば、デコーダはプログレッシブ方式で映像信号を出力することになる。ところが、その場合でも、インターレース方式の表示装置が接続されたときは、映像信号をインターレース方式で出力しなければならず、そのためには、デコードされた映像信号に対してプログレッシブ方式からインターレース方式への変換を行わねばならない。このようなプログレッシブ−インターレース変換を行おうとすると、フレームメモリ等の新たなハードウェアの追加による変更を余儀なくされてしまう。
【０００７】
そこで、本発明は上記課題を解決するためになされたもので、映像信号がインターレース方式とプログレッシブ方式で出力されるＨＤ  ＤＶＤプレーヤ等の映像再生装置において、フレームメモリを新たに追加するといったハードウェアの変更によることなくデコードされた映像信号に対するプログレッシブ−インターレース変換を実現できるようにすることを目的とする。
【課題を解決するための手段】
【０００８】
上記課題を解決するため、本発明は、入力される映像ストリームに含まれる圧縮ビデオデータを伸張してフレームを生成し、そのフレームの表示を制御する表示制御情報にしたがって生成したフレームを出力するビデオデコーダと、そのビデオデコーダから出力されるフレームがインターレース方式で出力されるように、表示制御情報の書換えを行う書換手段とを有する映像再生装置を特徴とする。
【０００９】
また、本発明は、入力される映像ストリームに含まれる圧縮ビデオデータを伸張してフレームを生成し、そのフレームの表示を制御する表示制御情報にしたがって生成したフレームを出力するビデオデコーダと、ビデオデコーダから出力されるフレームがプログレッシブ方式で出力されることを示すプログレッシブデータからインターレース方式で出力されることを示すインターレースデータへの表示制御情報の書換えを行う書換手段とを有する映像再生装置を提供する。
【発明の効果】
【００１０】
以上詳述したように、本発明によれば、映像信号がインターレース方式とプログレッシブ方式で出力されるＨＤ  ＤＶＤプレーヤ等の映像再生装置において、フレームメモリを新たに追加するといったハードウェアの変更によることなくデコードされた映像信号に対するプログレッシブ−インターレース変換を実現できるようになる。
【発明を実施するための最良の形態】
【００１１】
以下、本発明の実施の形態について説明する。なお、同一要素には同一符号を用い、重複する説明は省略する。
【００１２】
図１は、本発明の実施の形態に係る映像再生装置１の構成を示すブロック図である。図１に示すように、映像再生装置１は、デマルチプレクサ（Ｄｅｍｕｘ）１０と、ビデオデコーダ（Ｖｉｄｅｏ  Ｄｅｃｏｄｅｒ）２０と、フレームバッファ（Ｆｒａｍｅ  Ｂｕｆｆｅｒ）３０と、ビデオエンコーダ（Ｖｉｄｅｏ  Ｅｎｃｏｄｅｒ）４０と、メイン処理部（Ｍａｉｎ  Ｐｒｏｃｅｓｓ）５０とを有している。本実施の形態では、この映像再生装置１がＤＶＤを記録媒体に用いるＨＤ−ＤＶＤプレーヤである場合を想定しているが、本発明は、映像信号がインターレース方式とプログレッシブ方式で出力されるＨＤ−ＤＶＤプレーヤ以外のＤＶＤプレーヤについても適用される。
【００１３】
デマルチプレクサ１０は、ビデオデコーダ２０よりも先に配置され、入力されたＭＰＥＧ−２プログラムストリーム（Ｐｒｏｇｒａｍ  Ｓｔｒｅａｍ）ｐｓを、ビデオパケット（Ｖｉｄｅｏ  Ｐａｃｋｅｔ）ｖｐ、オーディオおよび字幕情報などを含むサブピクチャのパケット（Ａｕｄｉｏ＆Ｓｕｂ−ｐｉｃ  Ｐａｃｋｅｔ）ａｐとに分離するパケット分離処理を行い、それぞれを該当するデコーダに出力する。
【００１４】
また、デマルチプレクサ１０は、本発明における書換手段を構成していて、プログレッシブ方式での出力を示す後述する指示コマンドｉｃを入力しないときは、インターレース方式での出力となるため、ビデオパケットのペイロード（パケットのヘッダを除いた部分）に含まれる表示制御情報（ｐｉｃ＿ｓｔｒｕｃｔ）とフレームレートの書換えを行う。なお、ビデオパケットｖｐはデマルチプレクサ１０からビデオデコーダ２０に入力される。
【００１５】
ビデオデコーダ２０および図示しない他のデコーダは、入力したそれぞれのパケットに含まれる表示時刻情報（ＰＴＳ；Ｐｒｅｓｅｎｔｉｏｎ  ｔｉｍｅ  ｓｔａｍｐ）に従って、デコードした結果のデータを出力する。
【００１６】
ここで、ビデオデコーダ２０は、図１に示すように、デコード処理部（Ｄｅｃｏｄｅ  Ｐｒｏｃｅｓｓ）２１と、ポスト処理部（Ｐｏｓｔ  Ｐｒｏｃｅｓｓ）２２と、ホスト処理部（Ｈｏｓｔ  Ｐｒｏｃｅｓｓ）２３とを有している。
【００１７】
デコード処理部２１は、ビデオパケットｖｐに含まれている圧縮ビデオデータの伸張を行ってフレーム３１，３２，３３，３４・・・を生成し、その生成したフレーム３１，３２，３３，３４・・・をフレームバッファ３０に書込む。また、デコード処理部２１は、後述するタイミング制御情報（Ｔｉｍｉｎｇ  Ｉｎｆｏｒｍａｔｉｏｎ）３５を生成し、その生成したタイミング制御情報３５をポスト処理部２２に出力する。
【００１８】
このタイミング制御情報３５は、図４，５に示すように、フレームバッファ３０に書き込まれたフレーム３１，３２，３３，３４・・・のフレームバッファ番号３５ａと、表示制御情報（ｐｉｃ＿ｓｔｒｕｃｔ）３５ｂと、ＰＴＳ（ビデオパケットｖｐに記述されているＩピクチャのＰＴＳ、表示制御情報３５ｂとフレームレートから内挿計算（ＰＴＳの内挿計算については後述する）した他のピクチャのＰＴＳ）３５ｃの組として構成されている。
【００１９】
図４に示すタイミング制御情報３５は、後述するデジタルビデオ信号（Ｄｉｇｉｔａｌ  Ｖｉｄｅｏ  Ｏｕｔｐｕｔ）ｖｄがプログレッシブ方式で出力されるときの一例を示している。このタイミング制御情報３５では、フレームバッファ番号３５ａが“２”、“３”、“０”、“１”となっている４つのフレームに対して、表示制御情報３５ｂがそれぞれ“８”、“７”、“８”、“７”に設定され、ＰＴＳ３５ｃがＰＴＳ０、ＰＴＳ１、ＰＴＳ２、ＰＴＳ３に設定されている。
【００２０】
また、図５に示すタイミング制御情報３５は、デジタルビデオ信号ｖｄがインターレース方式で出力されるときの一例を示している。このタイミング制御情報３５では、フレームバッファ番号３５ａが“２”、“３”、“０”、“１”となっている４つのフレームに対して、表示制御情報３５ｂがそれぞれ“５”、“４”、“６”、“３”に設定され、ＰＴＳ３５ｃがＰＴＳ０、ＰＴＳ１、ＰＴＳ２、ＰＴＳ３に設定されている。なお、表示制御情報３５ｂについては後に詳述する。
【００２１】
ポスト処理部２２は、デコード処理部２１から出力されるタイミング制御情報３５と、クロック生成部２４（Ｃｌｏｃｋ  Ｇｅｎｅｒａｔｏｒ；ＣＧ）が生成する同期信号ＳＴＣを入力する。また、ポスト処理部２２は、入力したタイミング制御情報３５に含まれる表示制御情報３５ｂと、各フレームに含まれるフレームレートとにしたがって、フレームバッファ３０からフレーム３１，３２，３３，３４・・・を読み出すフレーム読取りを行い、デジタルビデオ信号（Ｄｉｇｉｔａｌ  Ｖｉｄｅｏ  Ｏｕｔｐｕｔ）ｖｄを出力する。
【００２２】
ホスト処理部２３は、メイン処理部５０から、後述する指示コマンド（Ｉｎｓｔｒｕｃｔｉｏｎ）ｉｃを受け取り、ビデオデコーダ２０内部の各処理ブロック（デコード処理部２１およびポスト処理部２２）の動作を制御するデコード制御手段を構成している。
【００２３】
そして、ビデオデコーダ２０の外部（ビデオデコーダ２０よりも後段）には、ビデオエンコーダ４０が設けられている。このビデオエンコーダ４０は、ビデオデコーダ２０から出力されるデジタルビデオ信号ｖｄを受け取って、そのデジタルビデオ信号ｖｄをアナログビデオ信号（Ａｎａｌｏｇ  Ｖｉｄｅｏ  Ｏｕｔｐｕｔ）ａｄに変換し、そのアナログビデオ信号ａｄを外部に接続されている図示しない表示装置等に出力する。
【００２４】
また、ビデオエンコーダ４０は、後述するフィールド信号（Ｆｉｅｌｄ  ＩＤ）ｆｄとビデオ同期信号（Ｖｉｄｅｏ  Ｓｙｎｃ）ｖｓをポスト処理部２２に入力するフィールド信号入力手段としての機能を有している。
【００２５】
メイン処理部５０は、ユーザーのリモコン操作により発生するまたは外部機器から出力されるユーザコマンド（Ｕｓｅｒ  Ｉｎｓｔｒｕｃｔｉｏｎ）ｕｃを入力する。そして、メイン処理部５０は、その入力したユーザコマンドｕｃに従って、指示コマンドｉｃ（本発明における指示情報）を生成し、その生成した指示コマンドｉｃをデマルチプレクサ１０、ビデオデコーダ２０およびビデオエンコーダ４０に入力する指示情報入力手段としての機能を有している。ユーザコマンドｕｃはプログレッシブ方式での出力（プログレッシブ出力）の要求を示す場合と、インターレース方式での出力（インターレース出力）の要求を示す場合とがある。
【００２６】
そして、デマルチプレクサ１０、ビデオデコーダ２０およびビデオエンコーダ４０が指示コマンドｉｃにしたがい作動することによって、映像再生装置１におけるプログレッシブ−インターレース変換が行なわれる。
【００２７】
続いて、以上のような構成を有する映像再生装置１における本発明の特徴とするプログレッシブ−インターレース変換が行われるときの動作手順について説明する。
【００２８】
図６から図８は映像再生装置１において、プログレッシブ−インターレース変換が行なわれるときのメイン処理部５０、ビデオエンコーダ４０およびデマルチプレクサ１０のそれぞれの動作手順を示すフローチャートである。
【００２９】
図６に示すように、メイン処理部５０は、プログレッシブ出力の要求を示すユーザコマンドｕｃを入力したか否か（プログレッシブ出力要求を入力したか否か）をステップ１で判定し、プログレッシブ出力の要求を示すユーザコマンドｕｃを入力したときはステップ２に処理を進め、そうでなければ処理をステップ３に進める。メイン処理部５０は、処理をステップ２に進めると、ビデオエンコーダ４０とデマルチプレクサ１０に対して、プログレッシブ出力を示す指示コマンド（プログレッシブ出力コマンド）ｉｃを出力する。また、メイン処理部５０は、処理をステップ３に進めると、ビデオエンコーダ４０とデマルチプレクサ１０に対して、インターレース出力を示す指示コマンド（インターレース出力コマンド）ｉｃを出力する。
【００３０】
次に、図７に示すように、ビデオエンコーダ４０は、プログレッシブ出力コマンドｉｃを入力したか否かをステップ１１で判定し、プログレッシブ出力コマンドｉｃを入力したときはステップ１２に処理を進め、そうでなければ処理をステップ１３に進める。ビデオエンコーダ４０は、処理をステップ１２に進めると、フィールド信号ｆｄ（ファーストフィールド出力かセカンドフィールド出力かを示す信号）を“Ｌｏｗ”に固定してポスト処理部２３に出力する。また、ビデオエンコーダ４０は、処理をステップ１３に進めると、デジタルビデオ信号ｖｄがインターレース方式で出力されるように“Ｌｏｗ”、“Ｈｉｇｈ”を交互に切り替えるフィールド信号ｆｄを発生させてポスト処理部２３に出力する。
【００３１】
一方、デマルチプレクサ１０は、図８に示すように、プログレッシブ出力コマンドｉｃを受信したか否かをステップ２１で判定し、プログレッシブ出力コマンドｉｃを受信したときはステップ２２に処理を進め、そうでなければ処理をステップ２３に進める。デマルチプレクサ１０は、処理をステップ２２に進めると、パケット分離処理を行うが、表示制御情報３５ｂとフレームレートの書換えは行わない。この場合はその後処理が終了する。
【００３２】
また、デマルチプレクサ１０は、処理をステップ２３に進めるときは、この場合はインターレース出力を示す指示コマンド（インターレース出力コマンド）ｉｃを入力し、インターレース出力となるので、パケット分離処理を行うとともに、書換手段として作動し、プログラムストリームｐｓのうちのビデオパケットｖｐのペイロード（パケットのヘッダを除いた部分）に含まれる表示制御情報３５ｂとフレームレートの書換え（この書換えでは、フレームレートが５９．９４Ｈｚ，５０Ｈｚから２９．９７Ｈｚ，２５．０Ｈｚへと切り替えられ、プログレッシブ方式からインターレース方式に切り替えられる）、を行い、その後処理が終了する。
【００３３】
ここで、表示制御情報３５ｂは、デコードされたフレームを用いた映像表示を制御するための情報であり、図２に示すように、“０”から“８”までの値とその他の値をとるものとされている。
【００３４】
例えば、ｐｉｃ＿ｓｔｒｕｃｔ＝“３”は、フレームレートに従って（フレームレート＝２９．９７Ｈｚであれば、１／２９．９７秒毎に）、デコードされたフレームの各ラインを読み出し、飛越し走査でトップライン（先に表示されるライン、Ｔｏｐ）ボトムライン（トップラインの次に表示されるライン、Ｂｏｔｔｏｍ）の順に２つのフィールドに交互に表示することを意味している。また、ｐｉｃ＿ｓｔｒｕｃｔ＝“４”は、各ラインを飛越し走査でボトムライン、トップラインの順に２つのフィールドに交互に表示することを意味している。
【００３５】
さらに、ｐｉｃ＿ｓｔｒｕｃｔ＝“５”は、各ラインを飛越し走査でトップライン、ボトムラインの順に２つのフィールドに交互に表示し、その後、次のフィールドにトップラインを表示することを意味している。ｐｉｃ＿ｓｔｒｕｃｔ＝“６”は、各ラインを飛越し走査でボトムライン、トップラインの順に２つのフィールドに交互に表示し、その後、次のフィールドにボトムラインを表示することを意味している。
【００３６】
そして、ｐｉｃ＿ｓｔｒｕｃｔ＝“７”は、フレームレートに従って（フレームレート＝５９．９４Ｈｚであれば、１／５９．９４秒毎に）、デコードされたフレームを（順次走査で）２回表示し、ｐｉｃ＿ｓｔｒｕｃｔ＝“８”は、デコードされたフレームを３回表示することを意味している。
【００３７】
以上のようにして処理することにより、ユーザコマンドｕｃがインターレース出力の要求を示すとき（プログレッシブ出力の要求を示していないとき）は、メイン処理部５０からインターレース出力コマンドｉｃが出力されるので、デマルチプレクサ１０が表示制御情報３５ｂとフレームレートの書換えを行う。すると、例えば、タイミング情報３５は書換え前では図４のようになっていたところ、表示制御情報３５ｂが書換えられることによって、図５のようになる。
【００３８】
書き換えられた表示制御情報３５ｂはタイミング情報３５としてデコード処理部２１からポスト処理部２３に出力される。ポスト処理部２３はこの書換え後のフレームレートにしたがってフレームバッファ３０からフレームを読み出し、タイミング情報３５に含まれる表示制御情報３５ｂに従って各ラインの表示を制御しながらピクチャの表示を行う。また、フィールド信号ｆｄもインターレース方式で出力されるようにして、ポスト処理部２３に入力されている。そのため、図３に示すようにして、プログレッシブ−インターレース変換が行われる。
【００３９】
ここで、タイミング情報３５は図４では、フレームバッファナンバー：“２”、“３”、“０”、“１”の各フレームバッファについて、順にｐｉｃ＿ｓｔｒｕｃｔが“８”、“７”、“８”、“７”（これらのｐｉｃ＿ｓｔｒｕｃｔは、フレームがプログレッシブ方式で出力されることを示すプログレッシブデータに対応している）であったことから、ビデオデコーダ２０からのフレーム出力（デジタルビデオ信号ｖｄ）が図３（ａ）のようにして出力されていた。
【００４０】
ところが、図５では、フレームバッファナンバー：“２”、“３”、“０”、“１”のフレームバッファについて、順に表示制御情報３５ｂが“５”、“４”、“６”、“３”（これらのｐｉｃ＿ｓｔｒｕｃｔは、フレームがインターレース方式で出力されることを示すインターレースデータに対応している）に書き換えられたことから、ビデオデコーダ２０からのフレーム出力が図３（ｂ）のようになる。
【００４１】
図３（ａ）では、フィールド信号ｆｄは“ＬＯＷ”のまま、各フレームがトップライン、ボトムラインの順に順次走査されて出力されており、フレームレートが５９．９４Ｈｚのプログレッシブ出力になっている。
【００４２】
また、図３（ｂ）では、フィールド信号ｆｄは“ＬＯＷ”と“ＨＩＧＨ”とが交互に出力され、トップライン、ボトムラインの順に各ラインが２つのフィールドで交互に走査されて出力されており、フレームレートが２９．９７Ｈｚのインターレース出力になっている（図３，４，５における白丸はトップライン、黒丸はボトムラインを示している）。
【００４３】
以上のように、映像再生装置１では、ビデオデコーダ２０がフレームレートにしたがってフレームレートにしたがってフレームを読取り、表示制御情報３５ｂにしたがってピクチャ表示が行なわれるようにデジタルビデオ信号ｖｄを出力するが、図３（ａ），（ｂ）に示したように、表示制御情報３５ｂとフレームレートをインターレース方式で出力されるように書き換え、フィールド信号ｆｄがインターレース方式で出力されるように出力されていることで、デジタルビデオ信号ｖｄをインターレース方式で出力することができる。
【００４４】
したがって、映像再生装置１では、デマルチプレクサ１０、ビデオデコーダ２０、ビデオエンコーダ４０といった既存の構成に対する機能の追加や変更といった対応でプログレッシブ−インターレース変換が行われ、フレームメモリを新たに追加するといったハードウェアの変更によることなくプログレッシブ−インターレース変換が実現できるようになっている。
【００４５】
なお、「ＰＴＳの内挿計算」について説明すると次のとおりである。ＤＶＤ規格（従来のＤＶＤおよびＨＤ  ＤＶＤ規格）では、ストリーム内には、通常、ＩピクチャのＰＴＳ（Ｐｒｅｓｅｎｔａｔｉｏｎ  Ｔｉｍｅ  Ｓｔａｍｐ）のみ記述されている。従って、他のピクチャ（Ｐピクチャ、Ｂピクチャ）のＰＴＳは、ビデオデコーダ２０のデコード処理部２１で内挿計算によって求めている。
【００４６】
例えば、ＩピクチャのＰＴＳを“ＰＴＳ０”とした場合、Ｉピクチャ以外のピクチャのＰＴＳは、表示の順番で以下のようにして算出される（ＰＴＳは、９０ｋＨｚの単位で示される）。
【００４７】
ＰＴＳ［ｎ］＝ＰＴＳ［ｎ−１］
＋（ｎｕｍ＿ｏｆ＿ｒｅｐｅａｔ［ｎ−１］  ｘ  ｐｉｃｔｕｒｅ＿ｐｅｒｉｏｄ）
ここで、ｎ≧１
ｐｉｃｔｕｒｅ＿ｐｅｒｉｏｄ＝９００００／５９．９４≒１５０１．５
ｎｕｍ＿ｏｆ＿ｒｅｐｅａｔ［ｎ−１］は、（ｎ−１）番目のピクチャに関する、ピクチャ繰り返し回数を示している。
【００４８】
例えば、図２に示した表示制御情報（ｐｉｃ＿ｓｔｒｕｃｔ）において、以下のようになる。
ｐｉｃ＿ｓｔｒｕｃｔ＝“３”ならｎｕｍ＿ｏｆ＿ｒｅｐｅａｔ＝２
ｐｉｃ＿ｓｔｒｕｃｔ＝“４”ならｎｕｍ＿ｏｆ＿ｒｅｐｅａｔ＝２
ｐｉｃ＿ｓｔｒｕｃｔ＝“５”ならｎｕｍ＿ｏｆ＿ｒｅｐｅａｔ＝３
ｐｉｃ＿ｓｔｒｕｃｔ＝“６”ならｎｕｍ＿ｏｆ＿ｒｅｐｅａｔ＝３
ｐｉｃ＿ｓｔｒｕｃｔ＝“７”ならｎｕｍ＿ｏｆ＿ｒｅｐｅａｔ＝２
ｐｉｃ＿ｓｔｒｕｃｔ＝“８”ならｎｕｍ＿ｏｆ＿ｒｅｐｅａｔ＝３
【００４９】
なお、上記の実施の形態では、デマルチプレクサ１０によって書換手段が構成されていた場合を例にとって説明しているが、別の手段によって書換手段の機能が実現されるようにしてもよい。また、本発明は映像のほかに音声を再生可能な映像再生装置（映像音声再生装置）についても適用することができる。
【００５０】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５１】
【図１】本発明の実施の形態に係る映像再生装置の構成を示すブロック図である。
【図２】表示制御情報の一例を示す図である。
【図３】プログレッシブ出力、インターレース出力それぞれにおける時刻、フィールドＩＤ、ビデオ同期信号、フレーム出力および表示制御情報を示す図で、（ａ）はプログレッシブ出力の場合、（ｂ）はインターレース出力の場合を示している。
【図４】書換え前の表示制御情報とフレームとの一例を示す図である。
【図５】書換え後の表示制御情報とフレームとの一例を示す図である。
【図６】メイン処理部の動作手順を示すフローチャートである。
【図７】ビデオエンコーダの動作手順を示すフローチャートである。
【図８】デマルチプレクサの動作手順を示すフローチャートである。
【符号の説明】
【００５２】
１…映像再生装置、１０…デマルチプレクサ、２０…ビデオデコーダ
２１…デコード処理部、２２…ポスト処理部、２３…ホスト処理部
３０…フレームバッファ、３５…タイミング制御情報
３５ｂ…表示制御情報、４０…ビデオエンコーダ、５０…メイン処理部
【図１】
2008011071.tif 000003
【図２】
2008011071.tif 000004
【図３】
2008011071.tif 000005
【図４】
2008011071.tif 000006
【図５】
2008011071.tif 000007
【図６】
2008011071.tif 000008
【図７】
2008011071.tif 000009
【図８】
2008011071.tif 000010